(57)【要約】【課題】  本発明は取付け作業が容易で、十分な強度で接続部を固定することができるとともに、該接続部にボルト挿入孔を形成することなく取付けることができる木材のコーナー固定金具を得るにある。【解決手段】  Ｌ字状に形成された一方の固定金具本体、この一方の固定金具本体の長辺板に打ち抜き形成された複数個のピン状の釘、一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、他方の固定金具本体の重なり合う部に一方の固定金具のピン状の釘挿入孔内へ挿入されるように打ち抜き形成された複数個の重なりピン状の釘とからなる他方の固定金具とで木材のコーナー固定金具を構成している。【選択図】  図１
2004183467.tif 000002
【特許請求の範囲】
【請求項１】
Ｌ字状に形成された一方の固定金具本体、この一方の固定金具本体の長辺板に打ち抜き形成された複数個のピン状の釘、前記一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、前記他方の固定金具本体の重なり合う部に前記一方の固定金具のピン状の釘挿入孔内へ挿入されるように打ち抜き形成された複数個の重なりピン状の釘とからなる他方の固定金具とからなることを特徴とする木材のコーナー固定金具。
【請求項２】
アングル状に形成された一方の固定金具本体、この一方の固定金具本体の一辺板に打ち抜き形成された複数個のピン状の釘、前記一方の固定金具本体の他辺板に形成された複数個のピン状の釘挿入孔とからなる一方の固定金具と、この一方の固定金具の他辺板と重なり合うことができる他方の固定金具本体、この他方の固定金具本体の前記複数個のピン状の釘挿入孔内へ挿入されるように打ち抜き形成された、前記一方の固定金具のピン状の釘の木材への挿入量とほぼ同じ木材への挿入量となる複数個の重なりピン状の釘とからなる他方の固定金具とからなることを特徴とする木材のコーナー固定金具。
【請求項３】
Ｌ字状に形成された一方の固定金具本体、この一方の固定金具本体の長辺板に打ち抜き形成された複数個のピン状の釘、前記一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、前記他方の固定金具本体の重なり合う部に前記一方の固定金具の短辺板のピン状の釘挿入孔と対応する部位に形成された釘等の挿入孔とからなる他方の固定金具とからなることを特徴とする木材のコーナー固定金具。
【請求項４】
アングル状に形成された固定金具本体と、この固定金具本体の両辺板にそれぞれコーナー部側の傾斜角がほぼ４５度となるように打ち抜き形成された複数個のピン状の釘とからなることを特徴とする木材のコーナー固定金具。
【発明の詳細な説明】
【技術分野】
【０００１】
本発明は梁と梁、梁と梁桁等の接続部を固定する木材のコーナー固定金具に関する。
【背景技術】
【０００２】
従来、木造住宅の梁と梁、梁と梁桁等の接続部は、釘を傾斜状態で打ち込んだり、羽子板ボルトを用いて固定している。
【０００３】
従来の釘を用いての接続部の固定は十分な強度での固定ができないという欠点あった。
また、羽子板ボルトを用いる方法では梁や梁桁を引っ張り合うだけの機能しかないとともにボルト挿入孔を形成しなければならず、その作業が大変であるとともに、ボルト挿入孔によって梁や梁桁の強度を低下させてしまうという欠点があった。
【特許文献１】特開２０００−２５７１７０号公報
【発明の開示】
【発明が解決しようとする課題】
【０００４】
本発明は以上のような従来の欠点に鑑み、梁と梁桁等のズレを防止し、取付け作業が容易で、十分な強度で接続部を固定することができるとともに、該接続部にボルト挿入孔を形成することなく取付けることができる木材のコーナー固定金具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はＬ字状に形成された一方の固定金具本体、この一方の固定金具本体の長辺板に打ち抜き形成された複数個のピン状の釘、前記一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、前記他方の固定金具本体の重なり合う部に前記一方の固定金具のピン状の釘挿入孔内へ挿入されるように打ち抜き形成された複数個の重なりピン状の釘とからなる他方の固定金具とで木材のコーナー固定金具を構成している。
【発明の効果】
【０００７】
以上の説明から明らかなように、本発明にあっては次に列挙する効果が得られる。
【０００８】
（１）Ｌ字状に形成された一方の固定金具本体、この一方の固定金具本体の長辺板に打ち抜き形成された複数個のピン状の釘、前記一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、前記他方の固定金具本体の重なり合う部に前記一方の固定金具のピン状の釘挿入孔内へ挿入されるように打ち抜き形成された複数個の重なりピン状の釘とからなる他方の固定金具とで構成されているので、一方の固定金具を梁や梁桁等のコーナー部に位置させ、複数個のピン状の釘を梁や梁桁等にハンマーで打ち込み固定した後、他方の固定金具の重なり合う部の重なりピン状の釘を一方の固定金具の短辺板の複数個のピン状の釘挿入孔に挿入して、該複数個の重なりピン状の釘およびベース板の複数個のピン状の釘を梁桁および梁にハンマーでの打ち込み固定することにより、一方の固定金具と他方の固定金具とが一体状態となり、梁と梁桁等の接続部を確実に固定することができる。
したがって、地震や木材の収縮等が生じても、梁と梁桁等の接続部を移動することなく、強固に固定することができる。
【０００９】
（２）前記（１）によって、ハンマーでの打ち込み固定だけの作業でよいので、容易に、誰でもが楽に行なうことができる。
【００１０】
（３）前記（１）によって、従来のようにボルト挿入孔を梁や梁桁に形成しなくてもよいので、梁や梁桁の強度を低下させることなく使用することができる。
【００１１】
（４）前記（１）によって、一方の固定金具と他方の固定金具は打ち抜き形成で形成することができるので、加工が容易で、安価に製造することができる。
【００１２】
（５）請求項２、３、４も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図１４に示す本発明を実施するための最良の第１の形態において、１は木造住宅の梁２と梁桁３との接続部４を固定する本発明の木材のコーナー固定金具で、この木材のコーナー固定金具１はＬ字状に形成された一方の固定金具５と、この一方の固定金具５の短辺板５ａと重なり合う他方の固定金具６とで構成されている。
【００１５】
前記一方の固定金具５は図３ないし図７に示すように、Ｌ字状に形成された一方の固定金具本体７と、この一方の固定金具本体７の長辺板５ｂに打ち抜き形成された、ほぼ直角方向に突出する複数個のピン状の釘８と、前記一方の固定金具本体７の短辺板５ａに形成された複数個のピン状の釘挿入孔９と、必要に応じて形成される羽子板ボルト用のボルト挿入孔１９とで構成されている。
【００１６】
前記他方の固定金具６は図８ないし図１２に示すように、前記一方の固定金具５の短辺板５ａと重なり合うように折り曲げ部１０を介して形成されたクランク状の他方の固定金具本体１１と、この他方の固定金具本体１１のベース板６ａに打ち抜き形成された、ほぼ直角方向に突出する複数個のピン状の釘１２と、前記他方の固定金具本体１１の重なり合う部６ｂに前記一方の固定金具５のピン状の釘挿入孔９内へ挿入されるように打ち抜き形成された、ほぼ直角方向に突出する前記ピン状の釘１２の先端部とほぼ同一部位に先端部が位置する複数個の重なりピン状の釘１３と、必要に応じて形成される羽子板ボルト用のボルト挿入孔１９とで構成されている。
【００１７】
上記構成の木材のコーナー固定金具１は、一方の固定金具５を梁２と梁桁３の接続部４のコーナー部に、図１３に示すように位置させ、長辺板５ｂをプレス、エアーハンマー、金槌等のハンマー１４で打ち付けて、該部位の複数個のピン状の釘８を梁桁３にくい込ませて固定する。
しかる後、梁桁３に固定された一方の固定金具５の短辺板５ａ上に、図１４に示すように他方の固定金具６の重なり合う部６ｂを複数個の重なりピン状の釘１３が複数個のピン状の釘挿入孔９に挿入させ、該他方の固定金具６のベース板６ａおよび重なり合う部６ｂをハンマー１４で打ち付けて、該部位の複数個のピン状の釘１２および複数個の重なりピン状の釘１３を梁２にくい込ませて固定することにより、一方の固定金具５と他方の固定金具６とがＬ字状に重なり、一体状態で梁２と梁桁３の接続部４のコーナー部に固定され、梁２と梁桁３の接続部４の補強を図ることができる。
また、羽子板ボルト用のボルト挿入孔１９、１９を利用して羽子板ボルトを取り付けることができる。
｛発明を実施するための異なる形態｝
【００１８】
次に、図１５ないし図３１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１５ないし図１７に示す本発明を実施するための第２の形態において、前記本発明を実施するための最良の第１の形態と主に異なる点は、アングル状に形成された一方の固定金具本体７Ａの一辺板５ｂに複数個のピン状の釘８を打ち抜き形成し、他辺板５ａに複数個のピン状の釘挿入孔９を形成した一方の固定金具５Ａと、この一方の固定金具５Ａの他辺板５ａと重なり合う他方の固定金具本体１１Ａに、前記一方の固定金具５Ａの他辺板５ａの複数個のピン状の釘挿入孔９内へ挿入され、該一方の固定金具５Ａの複数個のピン状の釘８の木材への挿入量とほぼ同じ木材への挿入量となる複数個の重なりピン状の釘１３を形成した他方の固定金具６Ａとを用いた点で、このように形成された一方の固定金具５Ａと他方の固定金具６Ａとを用いて構成した木材のコーナー固定金具１Ａにしても、前記本発明を実施するための最良の第１の形態と同様な作用効果が得られる。
【００２０】
図１８ないし図２０に示す本発明を実施するための第３の形態において、前記本発明を実施するための最良の第１の形態と主に異なる点は、他方の固定金具本体１１の一方の固定金具５の短辺板５ａと重なり合う部６ｂに、該短辺板５ａに形成された複数個のピン状の釘挿入孔９と対応する部位に釘等の挿入孔１５を形成した他方の固定金具６Ｂを用い、一方の固定金具５を梁桁３に固定した後、他方の固定金具６Ｂの重なり合う部６ｂを短辺板５ａに重ねて梁２に固定し、しかる後、他方の複数個の釘等の挿入孔１５に釘等１６をそれぞれ打ち込み、該複数本の釘等１６によって一方の固定金具５と他方の固定金具６Ｂとを固定することができる木材のコーナー固定金具１Ｂにしてもよい。
【００２１】
図２１ないし図２６に示す本発明を実施するための第４の形態において、前記本発明を実施するための最良の第１の形態と主に異なる点は、アングル状の固定金具本体１７の両辺板１７ａ、１７ｂにそれぞれコーナー部１７ｃ側の傾斜角αがほぼ４５度となるように打ち抜き形成された複数個のピン状の釘１８を形成した点で、このように形成された木材のコーナー固定金具１Ｃは、釘の打ち込みが容易な木材を用いた梁２や梁桁３の場合には、前記本発明を実施するための最良の第１の形態と同様な作用効果が得られる。
【００２２】
図２７ないし図３１に示す本発明を実施するための第５の形態において、前記本発明を実施するための最良の第１の形態と主に異なる点は、Ｌ字状に形成された一方の固定金具本体７の長辺板５ｂに内側に突出するように打ち抜き形成された、ほぼ直角方向に突出する複数個のピン状の釘８を形成したＬ字状に形成された一方の固定金具５Ｂを用いた点で、このように形成された一方の固定金具５Ｂと他方の固定金具６とを用いて構成した木材のコーナー固定金具１Ｄにしても、外側のコーナーの固定に使用することができる。
なお、本発明を実施するための形態では図３０に示すように他方の固定金具６Ａを使用したり、図３１に示すように他方の固定金具６Ｂを使用しても同様な作用効果が得られる。
【産業上の利用可能性】
【００２３】
本発明は木材のコーナー固定金具を製造する産業および木材のコーナー固定金具を用いて住宅等を建てる産業で利用される。
【図面の簡単な説明】
【００２４】
【図１】本発明を実施するための最良の第１の形態の使用状態の説明図。
【図２】本発明を実施するための最良の第１の形態の使用状態の平面図。
【図３】本発明を実施するための最良の第１の形態の一方の固定金具の正面図。
【図４】本発明を実施するための最良の第１の形態の一方の固定金具の背面図。
【図５】本発明を実施するための最良の第１の形態の一方の固定金具の平面図。
【図６】本発明を実施するための最良の第１の形態の一方の固定金具の右側面図。
【図７】本発明を実施するための最良の第１の形態の一方の固定金具の左側面図。
【図８】本発明を実施するための最良の第１の形態の他方の固定金具の正面図。
【図９】本発明を実施するための最良の第１の形態の他方の固定金具の背面図。
【図１０】本発明を実施するための最良の第１の形態の他方の固定金具の平面図。
【図１１】本発明を実施するための最良の第１の形態の他方の固定金具の右側面図。
【図１２】本発明を実施するための最良の第１の形態の他方の固定金具の左側面図。
【図１３】本発明を実施するための最良の第１の形態の一方の固定金具の取付け説明図。
【図１４】本発明を実施するための最良の第１の形態の他方の固定金具の取付け説明図。
【図１５】本発明を実施するための第２の形態の使用状態の説明図。
【図１６】本発明を実施するための第２の形態の他方の固定金具の正面図。
【図１７】本発明を実施するための第２の形態の他方の固定金具の平面図。
【図１８】本発明を実施するための第３の形態の使用状態の説明図。
【図１９】本発明を実施するための第３の形態の他方の固定金具の正面図。
【図２０】本発明を実施するための第３の形態の他方の固定金具の平面図。
【図２１】本発明を実施するための第４の形態の使用状態の説明図。
【図２２】本発明を実施するための第４の形態の平面図。
【図２３】本発明を実施するための第４の形態の正面図。
【図２４】本発明を実施するための第４の形態の背面図。
【図２５】本発明を実施するための第４の形態の側面図。
【図２６】本発明を実施するための第４の形態の取付け説明図。
【図２７】本発明を実施するための第５の形態の使用状態の説明図。
【図２８】本発明を実施するための第５の形態の一方の固定金具の平面図。
【図２９】本発明を実施するための第５の形態の一方の固定金具の右側面図。
【図３０】本発明を実施するための第５の形態の異なる使用状態の説明図。
【図３１】本発明を実施するための第５の形態の異なる使用状態の説明図。
【符号の説明】
【００２５】
１、１Ａ、１Ｂ、１Ｃ：木材のコーナー固定金具、
２：梁、               
３：梁桁、
４：接続部、            ５、５Ａ：一方の固定金具、
６、６Ａ、６Ｂ：他方の固定金具、
７、７Ａ：一方の固定金具本体、
８：ピン状の釘、        ９：ピン状の釘挿入孔、
１０：折り曲げ部、
１１、１１Ａ：他方の固定金具本体、
１２：ピン状の釘、      １３：重なりピン状の釘、
１４：ハンマー、        １５：釘等の挿入孔、
１６：釘等、            １７：固定金具本体、
１８：ピン状の釘、
１９：羽子板ボルト用のボルト挿入孔。
【図１】
2004183467.tif 000003
【図２】
2004183467.tif 000004
【図３】
2004183467.tif 000005
【図４】
2004183467.tif 000006
【図５】
2004183467.tif 000007
【図６】
2004183467.tif 000008
【図７】
2004183467.tif 000009
【図８】
2004183467.tif 000010
【図９】
2004183467.tif 000011
【図１０】
2004183467.tif 000012
【図１１】
2004183467.tif 000013
【図１２】
2004183467.tif 000014
【図１３】
2004183467.tif 000015
【図１４】
2004183467.tif 000016
【図１５】
2004183467.tif 000017
【図１６】
2004183467.tif 000018
【図１７】
2004183467.tif 000019
【図１８】
2004183467.tif 000020
【図１９】
2004183467.tif 000021
【図２０】
2004183467.tif 000022
【図２１】
2004183467.tif 000023
【図２２】
2004183467.tif 000024
【図２３】
2004183467.tif 000025
【図２４】
2004183467.tif 000026
【図２５】
2004183467.tif 000027
【図２６】
2004183467.tif 000028
【図２７】
2004183467.tif 000029
【図２８】
2004183467.tif 000030
【図２９】
2004183467.tif 000031
【図３０】
2004183467.tif 000032
【図３１】
2004183467.tif 000033